【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
ホストコンピュータと、各々ディスクとディスクへのアクセスを制御するコントローラとを有する複数のストレージシステムとに接続されるスイッチであって、
ホストコンピュータと接続される第一のノードと、
各々ストレージシステムと接続される複数の第二のノードとを有しており、
前記第一のノードはホストコンピュータから第一のアクセス要求を受信し、
前記スイッチは、受信した第一のアクセス要求を、第二のノードに接続されるストレージシステムが有するディスク内の記憶領域である第一論理ユニット宛ての第二のアクセス要求に変換し、該第二のアクセス要求を該第一論理ユニットを有するストレージシステムと接続される第二のノードを介して、該ストレージシステムに送信することを特徴とするスイッチ。
【請求項２】
請求項１記載のスイッチであって、
前記第一のアクセス要求は、複数の第一論理ユニットから構成される第二論理ユニット内でのアクセス対象データの格納位置を示す第一のアドレスを有しており、
前記スイッチは、前記第一のアドレスを、前記複数の第一論理ユニットのいずれか内でのアクセス対象データの格納位置を示す第二のアドレスに変換して、該第二のアドレスを有する第二のアクセス要求を送信することを特徴とするスイッチ。
【請求項３】
請求項２記載のスイッチであって、
前記第一のアクセス要求はフレームペイロードを有しており、前記第一のアドレスはフレームペイロードに格納されていることを特徴とするスイッチ。
【請求項４】
請求項３記載のスイッチであって、
前記第一のアドレスには、ロジカルユニット番号とロジカルブロックアドレスが含まれることを特徴とするスイッチ。
【請求項５】
請求項１記載のスイッチであって、
前記第一のアクセス要求は、アクセス対象データを格納している第一論理ユニットを含む複数の第一論理ユニットから構成される第二論理ユニット宛てのアクセス要求であることを特徴とするスイッチ。
【請求項６】
請求項１記載のスイッチであって、
前記第一のアクセス要求及び前記第二のアクセス要求は、フレーム転送先IDが格納されるフレームヘッダを有しており、
前記第一のアクセス要求には、第一のノードを示す第一フレーム転送先IDが含まれており、
前記スイッチは、前記第一フレーム転送先IDを、各々第二のノードに接続される複数のストレージシステムのいずれかを示す第二フレーム転送先IDに変換して、変換後の第二フレーム転送先IDを有する第二のアクセス要求を、前記複数のストレージシステムのいずれかに送信することを特徴とするスイッチ。
【請求項７】
請求項１記載のスイッチであって、更に、
各々第二のノードを介してスイッチに接続される複数のストレージシステムが有する記憶領域の構成情報を有することを特徴とするスイッチ。
【請求項８】
請求項２もしくは請求項５記載のスイッチであって、
前記第二論理ユニットは、各々異なるストレージシステムに存在する複数の第一論理ユニットから構成されることを特徴とするスイッチ。
【請求項９】
計算機と、各々複数のディスクと該複数のディスクに接続される制御部とを有する複数の記憶装置システムとに接続されるスイッチであって、
計算機と接続される一又は複数の第一ノードと、
各々記憶装置システムに接続される複数の第二ノードとを有し、
第一ノードは計算機から第一のアクセス要求を受信し、
前記スイッチは第一のアクセス要求を、前記複数の記憶装置システムのいずれかが有する、複数のディスク内の記憶領域から構成される論理ユニット宛の、第二のアクセス要求に変換し、
第二のノードは、該第二のアクセス要求を該論理ユニットを有する記憶装置システムに送信することを特徴とするスイッチ。
【請求項１０】
計算機からアクセスされるデータを格納するシステムであって、
各々、一又は複数の第一論理記憶領域と、該一又は複数の第一論理記憶領域へのアクセスを制御する制御部とを有する、複数のストレージサブシステムと、
前記複数のストレージサブシステム及び計算機と接続されるスイッチとを有しており、
前記スイッチは、
計算機から第一アクセス要求を受信し、
受信した第一アクセス要求を、第一論理記憶領域宛ての第二アクセス要求に変換して、
第二アクセス要求を前記複数のストレージサブシステムのいずれかに送信することを特徴とするシステム。
【請求項１１】
請求項１０記載のシステムであって、
前記第一論理記憶領域は、ストレージサブシステムが有する複数のディスク内の記憶領域から構成される記憶領域であることを特徴とするシステム。
【請求項１２】
請求項１０記載のシステムであって、
前記第一アクセス要求は、複数の第一論理記憶領域を有する第二論理記憶領域を示す第一アドレスを有しており、
前記スイッチは、前記第一アドレスを、前記複数の第一論理記憶領域のいずれかを示す第二アドレスに変換して、該第二アドレスを有する第二アクセス要求を前記複数のストレージサブシステムのいずれかに送信することを特徴とするシステム。
【請求項１３】
請求項１２記載のシステムであって、
前記第二論理記憶領域は、各々異なるストレージシステムに存在する複数の第一論理記憶領域から構成されることを特徴とするシステム。
【請求項１４】
請求項１０記載のシステムであって、
前記第一アクセス要求は、複数の第一論理記憶領域から構成される第二論理記憶領域内でのアクセス対象データの格納位置を示す第一アドレスを有しており、
前記スイッチは、前記第一アドレスを、前記複数の第一論理記憶領域のいずれか内でのアクセス対象データの格納位置を示す第二アドレスに変換して、該第二アドレスを有する第二アクセス要求を、前記複数のストレージサブシステムのいずれかに送信することを特徴とするシステム。
【請求項１５】
請求項１２ないし請求項１４記載のシステムであって、
前記第一アクセス要求及び前記第二アクセス要求はフレームペイロードを有しており、前記第一アドレス及び前記第二アドレスは各々、フレームペイロードに格納されていることを特徴とするシステム。
【請求項１６】
請求項１２ないし請求項１５記載のシステムであって、
前記第一アクセス要求には、ロジカルユニット番号が含まれることを特徴とするシステム。
【請求項１７】
請求項１０記載のシステムであって、
前記スイッチは各々計算機と接続される複数の第一ノードと、各々ストレージサブシステムと接続される複数の第二ノードとを有しており、
前記第一アクセス要求は前記複数の第一ノードのいずれかを示す第一転送先IDを有しており、
前記スイッチは、前記第一転送先IDを、前記複数のストレージサブシステムのいずれかを示す第二転送先IDに変換して、該第二転送先IDを有する第二アクセス要求を、該第二転送先IDが示すストレージサブシステムと接続される第二ノードを介して送信することを特徴とするシステム。
【請求項１８】
計算機と複数のストレージシステムに接続されるスイッチであって、
各々計算機若しくは第一のストレージシステム若しくは第二のストレージシステムに接続される複数のノードと、
前記複数のノードと接続されるスイッチ装置とを有しており、
いずれかのノードが、前記第一のストレージシステムが有する第一論理記憶領域と前記第二のストレージシステムが有する第一論理記憶領域とから構成される第二論理記憶領域宛てのアクセス要求を、計算機から受信し、
前記スイッチ装置は、受信したアクセス要求に従って、アクセス対象データを格納している第一論理記憶領域を有する前記第一のストレージシステム若しくは前記第二のストレージシステムのいずれかに宛てて、アクセス要求を送信することを特徴とするスイッチ。
【請求項１９】
請求項１８記載のスイッチにおいて、
前記スイッチは、受信したアクセス要求に含まれる前記第二論理記憶領域を示す第一識別情報を、前記第一のストレージシステムが有する第一論理記憶領域若しくは前記第二のストレージシステムが有する第一論理記憶領域のいずれかを示す第二識別情報に変換して、該第二識別情報を有するアクセス要求を、前記第一のストレージシステム若しくは前記第二のストレージシステムのいずれかに宛てて送信することを特徴とするスイッチ。
【請求項２０】
計算機からアクセスされるデータを記憶するシステムであって、
各々、ディスクとディスクに接続されるコントローラとを有する第一ストレージシステム及び第二ストレージシステムと、
計算機、前記第一ストレージシステム、及び前記第二ストレージシステムに接続されるスイッチとを有しており、
前記スイッチは、前記第一ストレージシステムのディスク内の記憶領域である第一論理記憶領域と、前記第二ストレージシステムのディスク内の記憶領域である第一論理記憶領域とを含む第二論理記憶領域へのアクセス要求を前記計算機から受信し、受信したアクセス要求に従って、アクセス要求を前記第一ストレージシステム若しくは第二ストレージシステムのいずれかに送信することを特徴とするシステム。
【請求項２１】
請求項２０記載のシステムであって、
前記スイッチが受信するアクセス要求には、前記第二論理記憶領域を示す第一識別情報が含まれており、前記スイッチは前記第一識別情報を、前記第一ストレージシステムの第一論理記憶領域若しくは前記第二ストレージシステムの第一論理記憶領域のいずれかを示す第二識別情報に変換し、第二識別情報を有するアクセス要求を、前記第一ストレージシステム若しくは前記第二ストレージシステムのいずれかに送信することを特徴とするシステム。